(57)【要約】【課題】大画面のプラズマディスプレイパネルであっても、パネルの局部的な温度上昇を抑制する。【解決手段】基板上に互いに平行となるように走査電極と維持電極とを複数配列して形成しかつ基板上に複数の維持電極を電気的に短絡する短絡配線を設けたプラズマディスプレイパネル１０と、プラズマディスプレイパネル１０を保持するシャーシ１７０と、プラズマディスプレイパネル１０の維持電極に維持パルスを供給するための維持側駆動回路ブロックとを備え、プラズマディスプレイパネル１０の短絡配線を設けた領域とシャーシ１７０との間に熱伝導シート１８５を介在させた。【選択図】図６
2008083135.tif 000002
【特許請求の範囲】
【請求項１】
基板上に互いに平行となるように走査電極と維持電極とを複数配列して形成しかつ前記基板上に複数の前記維持電極を電気的に短絡する短絡配線を設けたプラズマディスプレイパネルと、前記プラズマディスプレイパネルを保持するシャーシと、前記プラズマディスプレイパネルの維持電極に維持パルスを供給するための維持側駆動回路ブロックとを備え、前記プラズマディスプレイパネルの前記短絡配線を設けた領域と前記シャーシとの間に熱伝導シートを介在させたことを特徴とするプラズマディスプレイ装置。
【請求項２】
前記維持側駆動回路ブロックは、維持パルスを発生する維持パルス発生基板と、この維持パルス発生基板で発生させた維持パルスを前記プラズマディスプレイパネルの短絡配線に供給する中継基板とを有する請求項１に記載のプラズマディスプレイ装置。
【発明の詳細な説明】
【技術分野】
【０００１】
本発明は、プラズマディスプレイパネルを用いたプラズマディスプレイ装置に関する。
【背景技術】
【０００２】
画像表示パネルとして代表的なプラズマディスプレイパネル（以下、単に「パネル」と略記する）を用いたプラズマディスプレイ装置は、視野角が広く大画面化が容易であり、かつ自発光型であり画像表示品質が高いこと等から大画面画像表示装置の主流となりつつある。
【０００３】
パネルは、対向配置された前面板と背面板との間に多数の放電セルが形成されている。前面板は、１対の走査電極と維持電極とからなる表示電極対がガラス製の基板上に互いに平行に複数対形成されている。背面板は、ガラス製の基板上に複数の平行なデータ電極が形成され、さらに隔壁と蛍光体層が形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。
【０００４】
プラズマディスプレイ装置は、表示電極対に交互に維持パルスを印加してこれらの放電セルを放電、発光させることにより画像を表示している。
【０００５】
このとき、放電セルが発光する際に熱を発生しパネル自体の温度も上昇する。一般に放電セルの放電特性は温度の影響を受けて変化するため、パネルの温度が上がりすぎると放電が不安定となり、画像表示品質が劣化することがある。またパネルの温度が局部的に極端に上昇するとパネルの破損につながる恐れもある。
【０００６】
そのため、パネルの温度を抑える様々な方法が提案されてきた。例えば特許文献１には、シリコン系樹脂等からなる熱伝導シートを介してパネルをシャーシに取り付けることにより、パネルで発生した熱をシャーシに効率よく伝導して、パネルの温度上昇を抑える方法が開示されている。
【特許文献１】特開平１０−２５４３２号公報
【発明の開示】
【発明が解決しようとする課題】
【０００７】
しかしながら、さらなるパネルの大画面化が進むにつれて、放電に伴う放電電流も増大し、パネルの温度もさらに上昇する傾向にある。加えてパネルの大画面化に伴い駆動回路からそれぞれの表示電極対までの電流経路のインピーダンスの差も大きくなるが、この電流経路の差に起因するパネルの局部的な発熱といった新たな問題が発生してきた。
【０００８】
実際、パネルの画面サイズが１００インチ程度に大きくなると、パネルの短辺の長さが１ｍ以上、長辺の長さが２ｍ以上となり、電流経路の長さが長くなってインピーダンスが高くなるだけでなく、維持パルスに大きなリンギングが重畳される。そして電流経路が異なるとリンギングの形状も異なるため、維持パルスの形状に大きなバラツキが生じる。そしてこれらがパネルの温度を局部的に上昇させてパネルを破損させる恐れを増加させている。
【０００９】
本発明はこのような課題に鑑みなされたものであり、大画面のパネルであっても、パネルの局部的な温度上昇を抑制し、パネルを破損する恐れのないプラズマディスプレイ装置を提供することを目的とする。
【課題を解決するための手段】
【００１０】
本発明のプラズマディスプレイ装置は、基板上に互いに平行となるように走査電極と維持電極とを複数配列して形成しかつ基板上に複数の維持電極を電気的に短絡する短絡配線を設けたプラズマディスプレイパネルと、プラズマディスプレイパネルを保持するシャーシと、プラズマディスプレイパネルの維持電極に維持パルスを供給するための維持側駆動回路ブロックとを備え、プラズマディスプレイパネルの短絡配線を設けた領域とシャーシとの間に熱伝導シートを介在させたことを特徴とする。この構成により、大画面のパネルであっても、パネルの局部的な温度上昇を抑制し、パネルを破損する恐れのないプラズマディスプレイ装置を提供することができる。
【００１１】
また本発明のプラズマディスプレイ装置の維持側駆動回路ブロックは、維持パルスを発生する維持パルス発生基板と、この維持パルス発生基板で発生させた維持パルスをプラズマディスプレイパネルの短絡配線に供給する中継基板とを有してもよい。
【発明の効果】
【００１２】
本発明によれば、大画面のパネルであっても、パネルの局部的な温度上昇を抑制し、パネルを破損する恐れのないプラズマディスプレイ装置を提供することが可能となる。
【発明を実施するための最良の形態】
【００１３】
以下、本発明の実施の形態におけるプラズマディスプレイ装置について、図面を用いて説明する。
【００１４】
（実施の形態）
図１は、本発明の実施の形態におけるプラズマディスプレイ装置に用いるパネル１０の分解斜視図である。前面板２０はガラス製の基板２１を有する。基板２１上には、平行に配列された走査電極２２と維持電極２３とからなる表示電極対２８が複数形成されている。そして走査電極２２と維持電極２３とを覆うように誘電体層２４が形成され、その誘電体層２４上に保護層２５が形成されている。
【００１５】
背面板３０はガラス製の基板３１を有する。基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１６】
これら前面板２０と背面板３０とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１７】
ここで、走査電極２２と維持電極２３とは互いに平行に対をなして形成されているために、走査電極２２と維持電極２３との間に大きな電極間容量Ｃｐが存在する。
【００１８】
なお、パネル１０の構造は上述したものに限られるわけではなく、例えばストライプ状の隔壁を備えたものであってもよい。
【００１９】
図２は本発明の実施の形態におけるプラズマディスプレイ装置に用いるパネル１０の基板２１上に形成された表示電極対２８および電極端子部の配置図である。本実施の形態におけるパネル１０は、画面サイズが１０３インチであり、パネル１０の大きさは、長辺（横方向）の長さが約２．３ｍ、短辺（縦方向）の長さが約１．３ｍである。パネル１０には、行方向に延長されたｎ本（本実施の形態においては、ｎ＝１０８０）の走査電極２２およびｎ本の維持電極２３が配列されている。
【００２０】
図２において、走査電極２２のそれぞれはパネル周辺部の左側に設けられた走査電極用の電極端子６２のそれぞれに接続されている。一方、維持電極２３のそれぞれはパネル周辺部の右側に設けられた短絡配線７３に接続されており、維持電極２３のそれぞれは互いに電気的に短絡されている。そしてさらにその右側に設けられた維持電極用の電極端子６３のそれぞれに接続されている。
【００２１】
この電極端子６２、６３は、パネル１０の各電極に駆動電圧を印加するためのフレキシブル配線基板（以下、「ＦＰＣ」と略記する）８２、８３を接続するために、それぞれ複数本ずつグルーピングされて配置されている。なお、図２には８本ずつグルーピングされた走査電極用の電極端子６２および維持電極用の電極端子６３を示しているが、これらの数値は図面を見やすくするためのものである。本実施の形態においては、例えば走査電極用の電極端子６２は９０本ずつグルーピングされ、１２枚のＦＰＣ８２を用いて走査電極２２のそれぞれに電圧が印加され、１２枚のＦＰＣ８３を用いて維持電極２３に電圧が印加されている。
【００２２】
図３は本発明の実施の形態におけるプラズマディスプレイ装置１００の回路ブロック図である。プラズマディスプレイ装置１００は、パネル１０と、画像信号処理回路１１０と、データ電極駆動回路１２０と、走査電極駆動回路１３０と、維持電極駆動回路１４０と、タイミング発生回路１５０と、各回路ブロックに必要な電源を供給する電源回路（図示せず）とを備えている。
【００２３】
画像信号処理回路１１０は、入力された画像信号をサブフィールド毎の発光、非発光を示す画像データに変換する。データ電極駆動回路１２０はサブフィールド毎の画像データをデータ電極３２のそれぞれに対応する信号に変換し各データ電極３２を駆動する。タイミング発生回路１５０は水平同期信号、垂直同期信号をもとにして各回路ブロックの動作を制御する各種のタイミング信号を発生し、それぞれの回路ブロックへ供給する。走査電極駆動回路１３０はタイミング信号にもとづき走査電極２２のそれぞれを駆動する。維持電極駆動回路１４０は維持期間において維持パルスを発生するための維持パルス発生部２００を有し、タイミング信号にもとづいて維持電極２３を駆動する。
【００２４】
次に、維持電極駆動回路１４０の詳細について説明する。図４は、本発明の実施の形態におけるプラズマディスプレイ装置１００の維持電極駆動回路１４０の詳細を示す回路図である。維持パルス発生部２００は、電力回収部２１０とクランプ部２２０と一定電圧印加部２３０とを備えている。電力回収部２１０は、電力回収用のコンデンサＣ２１０と、スイッチング素子Ｑ２１１、Ｑ２１２と、逆流防止用のダイオードＤ２１１、Ｄ２１２と、共振用のインダクタＬ２１０とを有し、クランプ部２２０は、スイッチング素子Ｑ２２１、Ｑ２２２を有する。
【００２５】
次に、パネル１０を駆動するための駆動電圧波形とその動作について説明する。本実施の形態におけるプラズマディスプレイ装置１００はサブフィールド法を用いてパネル１０を駆動している。これは、１フィールド期間を複数のサブフィールドに分割し、それぞれのサブフィールドで各放電セルの発光、非発光を制御することにより階調表示を行う方法である。そして、サブフィールドのそれぞれは、初期化期間、書込み期間および維持期間を有する。
【００２６】
図５は本発明の実施の形態におけるプラズマディスプレイ装置に用いるパネル１０の各電極に印加する駆動電圧波形図であり、第１のサブフィールド（第１ＳＦ）および第２のサブフィールド（第２ＳＦ）の駆動電圧波形を示しているが、他のサブフィールドにおける駆動電圧波形もほぼ同様である。
【００２７】
初期化期間では、放電セルで初期化放電を発生させ、続く書込み動作のために必要な壁電荷を形成する。図５には、第１ＳＦの初期化期間では上昇する傾斜波形電圧および下降する傾斜波形電圧を走査電極２２に印加し、第２ＳＦの初期化期間では下降する傾斜波形電圧を走査電極２２に印加する駆動電圧波形を示した。続く書込み期間では、走査電極２２のそれぞれに走査パルスＶａを順次印加するとともに、データ電極３２のそれぞれには表示すべき画像信号に対応した書込みパルスＶｄを印加して書込み放電を発生させて選択的な壁電荷形成を行う。続く維持期間では表示させるべき輝度に応じた回数の維持パルスを走査電極２２と維持電極２３とに印加し、書込み放電による壁電荷形成を行った放電セルを選択的に放電、発光させる。
【００２８】
次に、維持期間において維持電極２３に維持パルスを印加する方法について詳細に説明する。
【００２９】
維持期間では、まず維持電極駆動回路１４０のスイッチング素子Ｑ２１２をオンにする。すると維持電極２３から、インダクタＬ２１０、ダイオードＤ２１２、スイッチング素子Ｑ２１２を通してコンデンサＣ２１０に電流が流れ始め、維持電極２３の電圧が下がり始める。そして、維持電極２３の電圧が０（Ｖ）付近まで低下したときスイッチング素子Ｑ２２２をオンにする。すると維持電極２３はスイッチング素子Ｑ２２２を通して０（Ｖ）にクランプされる。このとき走査電極駆動回路１３０も動作させて走査電極２２の電圧を電圧Ｖｓまで立ち上げる。このようにして、維持電極２３に０（Ｖ）を印加するとともに走査電極２２に正の維持パルス電圧Ｖｓを印加すると、書込み放電を起こした放電セルでは放電開始電圧を超えて維持放電が発生し、このとき発生した紫外線により蛍光体層３５が発光する。
【００３０】
続いて、走査電極駆動回路１３０を動作させて走査電極２２の電圧を０（Ｖ）まで立ち下げる。そして維持電極駆動回路１４０のスイッチング素子Ｑ２１１をオンにする。すると電力回収用のコンデンサＣ２１０から、スイッチング素子Ｑ２１１、ダイオードＤ２１１、インダクタＬ２１０を介して維持電極２３に電流が流れ始め、維持電極２３の電圧が上がり始める。そして、維持電極２３の電圧がＶｓ付近まで上昇したときスイッチング素子Ｑ２２１をオンにする。すると維持電極２３はスイッチング素子Ｑ２２１を通して電圧Ｖｓにクランプされる。このようにして、走査電極２２に０（Ｖ）を印加するとともに維持電極２３に維持パルス電圧Ｖｓを印加する。すると再び表示電極対２８の間で維持放電が発生する。
【００３１】
以降同様に、走査電極２２と維持電極２３とに交互に維持パルスを印加することにより、書込み期間において書込み放電を起こした放電セルで維持放電が継続して発生する。
【００３２】
このとき、各放電セルで維持放電を安定して発生させるためには、維持パルス電圧Ｖｓが２００（Ｖ）前後であり、かつ１μｓｅｃ以下の急峻な立上りを持つ維持パルスを表示電極対２８に印加する必要がある。そしてそのためには走査電極２２と維持電極２３との間の大きな電極間容量Ｃｐをすばやく充放電しなければならず、電流経路には瞬間的に大きな電流が流れる。この瞬間的に流れる電流は、例えば画面サイズが１０３インチのパネル１０では、１００（Ａ）を超える電流となる。
【００３３】
ところで、それぞれの放電セルの走査電極２２および維持電極２３に印加される維持パルスの形状は、その放電セルの発光強度に大きく影響を与えることが実験的に確認されている。さらに、赤色、緑色および青色の蛍光体を持つ放電セルの発光強度の比率にも影響を与えることが確認されている。従って、仮に維持電極２３に印加される維持パルスの形状が維持電極毎に異なっていると、維持電極毎に輝度むらや色むらが発生し、画像表示品質を大きく損なうことになる。このような画像表示品質の低下を発生させないために、本実施の形態におけるパネル１０は短絡配線７３により維持電極２３のそれぞれが互いに電気的に短絡されている。そのため維持電極２３のそれぞれに印加される維持パルスの形状が等しくなり、輝度むらや色むらが発生する恐れがない。
【００３４】
図６は本発明の実施の形態におけるプラズマディスプレイ装置１００の構造の一例を示す分解斜視図である。プラズマディスプレイ装置１００は、パネル１０と、パネル１０を収容する前面枠１６０およびバックカバー１６５と、パネル１０を保持するシャーシ１７０と、パネル１０で発生した熱をシャーシ１７０に伝達するとともにパネル１０の背面側基板とシャーシ１７０とを接着するための熱伝導シート１８０とを備える。熱伝導シート１８０は、放電セルの放電に伴い発生した熱をシャーシ１７０に逃がすための放電セル用の熱伝導シート１８１と短絡配線７３で発生したジュール熱をシャーシ１７０に逃がすための短絡配線用の熱伝導シート１８５とを有する。そして熱伝導シート１８５は、パネル１０の短絡配線７３を設けた領域とシャーシ１７０との間に介在されるように挿入配置している。
【００３５】
さらに、プラズマディスプレイ装置１００は、電源回路、走査電極駆動回路１３０、維持電極駆動回路１４０、タイミング発生回路１５０等のパネル１０を駆動するための回路を搭載したプリント基板群１９０とを備えており、これらのプリント基板群１９０は前記シャーシ１７０上に配置されている。
【００３６】
ここで、前記パネル１０の維持電極に維持パルスを供給するための維持側駆動回路ブロックは、維持電極駆動回路１４０を搭載し維持電極２３に印加する維持パルスを発生する維持パルス発生基板５４１と、維持パルス発生基板５４１で発生させた維持パルスを短絡配線７３に供給する中継基板５４２、５４３とを有している。前記中継基板５４２、５４３はそれぞれが維持パルス発生基板５４１で発生させた維持パルスを短絡配線７３に供給する。このようにしてパネル１０の維持電極用の電極端子６３に取り付けられたＦＰＣ８３を用いて維持電極２３と維持パルス発生基板５４１とが接続される。同様に、走査電極駆動回路１３０を搭載したプリント基板と走査電極２２とが接続され、データ電極駆動回路１２０を搭載したプリント基板とデータ電極３２とが接続される。また、シャーシ１７０の後面には、プリント基板群１９０を取り付けたりバックカバー１６５を固定するためのボス部（図示せず）が、ダイカストによる一体成型等により形成されている。なお、シャーシ１７０およびボス部は、例えばアルミニウム平板に固定ピンを固定して構成してもよい。
【００３７】
ここで、パネル１０の各電極とそれらを駆動する駆動回路とを接続する電流経路はできるだけ短くすることが好ましい。しかし本実施の形態におけるパネル１０は画面サイズが１０３インチであり、ＦＰＣ８３が取り付けられているパネル１０の短辺の長さは約１．３ｍである。一方、駆動回路を搭載するプリント基板は様々な要因によりその大きさが制限されており、通常使用できるプリント基板の大きさは一辺の長さが大きくとも５０ｃｍ程度である。そのために本実施の形態においては、複数枚のプリント基板を用いてそれぞれの電極駆動回路を構成している。
【００３８】
図７は本発明の実施の形態におけるプラズマディスプレイ装置の駆動回路を搭載した回路基板の配置を示す図であり、プラズマディスプレイ装置１００のバックカバー１６５を外した状態を示している。なお、図７には、走査電極駆動回路１３０、維持電極駆動回路１４０、データ電極駆動回路１２０とその配置を模式的に示し、図面を見やすくするためにそれ以外のプリント基板は省略した。
【００３９】
本実施の形態においては、データ電極駆動回路１２０は１２枚のプリント基板５２０に分割して搭載され、その出力はＦＰＣ８１を介してデータ電極３２のそれぞれに印加される。走査電極駆動回路１３０は４枚のプリント基板５３０に分割して搭載され、その出力はＦＰＣ８２を介して走査電極２２のそれぞれに印加される。
【００４０】
維持電極駆動回路１４０は維持パルス発生基板５４１に搭載されている。また下辺が維持パルス発生基板５４１の上辺と対向するように中継基板５４２が配置され、上辺が維持パルス発生基板５４１の下辺と対向するようにもう１枚の中継基板５４３が配置されている。維持パルス発生基板５４１および中継基板５４２の互いに対向する辺には、維持パルス発生基板５４１と中継基板５４２とをブリッジケーブル５４５によって電気的に接続するための接続部であるコネクタ５４６が搭載されている。同様に、維持パルス発生基板５４１および中継基板５４３の互いに対向する辺にも、維持パルス発生基板５４１と中継基板５４３とをブリッジケーブル５４５によって電気的に接続するための接続部であるコネクタ５４６が搭載されている。
【００４１】
そしてこの構成によって、維持パルス発生基板５４１で発生された維持パルスを中継基板５４２と維持電極用のＦＰＣ８３とを介して短絡配線７３の上部に印加する電流経路が形成され、維持パルスを維持電極用のＦＰＣ８３を介して短絡配線７３の中央部に印加する電流経路が形成され、さらに維持パルスを中継基板５４３と維持電極用のＦＰＣ８３とを介して短絡配線７３の下部に印加する電流経路が形成される。そして短絡配線７３から維持電極２３のそれぞれに維持パルスが印加される。このように、互いにインピーダンスの異なる複数の電流経路を通して各維持電極に維持パルスが印加されるにもかかわらず、それぞれの維持電極にはほぼ同じ形状の維持パルスが印加されることになる。
【００４２】
図８は、本発明の実施の形態におけるプラズマディスプレイ装置１００の維持パルスの電流経路を示す概念図である。維持パルス発生部２００から出力される維持パルスは複数の電流経路を経由して短絡配線７３の各部に供給される。破線で示した電流経路（１）は、維持パルス発生部２００から維持パルス発生基板５４１のコネクタ５４６、ブリッジケーブル５４５、中継基板５４２のコネクタ５４６、中継基板５４２を経て一番上のＦＰＣ８３（１）を経由する電流経路である。電流経路（２）は、中継基板５４２のコネクタ５４６では電流経路（１）と同様であるが、中継基板５４２を経て上から２番目のＦＰＣ８３（２）を経由する電流経路である。同様に、電流経路（３）は中継基板５４２を経て上から３番目のＦＰＣ８３（３）を経由する電流経路であり、電流経路（４）は中継基板５４２を経てＦＰＣ８３（４）を経由する電流経路である。
【００４３】
また電流経路（５）は、維持パルス発生部２００から中継基板を経由することなくＦＰＣ８３（５）を経由する電流経路である。電流経路（６）、電流経路（７）電流経路（８）についても電流経路（５）とほぼ同様である。
【００４４】
また電流経路（９）は、維持パルス発生部２００から維持パルス発生基板５４１のコネクタ５４６、ブリッジケーブル５４５、中継基板５４２のコネクタ５４６、中継基板５４３を経て上から９番目のＦＰＣ８３（９）を経由する電流経路である。図示していないが、電流経路（１０）、電流経路（１１）、電流経路（１２）についても電流経路（９）とほぼ同様である。
【００４５】
このように本実施の形態においては、複数の電流経路（１）〜（１２）を経由して短絡配線７３の各部へ維持パルスが印加される。ここで、電流経路（１）〜（４）については、経路が長いために比較的大きなインピーダンスを持つと考えられる。電流経路（９）〜（１２）についても同様である。しかし、電流経路（５）〜（８）の距離は短いためにそのインピーダンスは小さくなる。このインピーダンスの差のために、例えば電流経路（４）を経由して印加される維持パルスの形状と電流経路（５）を経由して印加される維持パルスの形状とに差が発生し、短絡配線７３に電流が流れてジュール熱が発生する。
【００４６】
また、例えば表示画面の上部の維持電極に対応する放電セルの多くが維持放電し、表示画面の中央部の維持電極に対応する放電セルはほとんど維持放電しない場合には、電流経路（１）〜（４）を経由して放電電流が流れるだけでなく、インピーダンスの低い電流経路（５）〜（９）を経由し、さらに短絡配線７３を通して表示画面の上部の維持電極に放電電流が流れる。そのために短絡配線７３に流れる電流が増加してジュール熱が発生する。
【００４７】
そこで本実施の形態においては、パネル１０の背面側の短絡配線７３に対応する位置とシャーシ１７０との間に熱伝導シートを挟んで、短絡配線７３で発生した熱をシャーシ１７０に効率よく伝導して、パネルの局部的な温度上昇を抑えている。
【００４８】
図９は本発明の実施の形態におけるプラズマディスプレイ装置の熱伝導シート１８０のパネル１０に対する相対位置を示す図である。上述したように、熱伝導シート１８０は放電セルの放電に伴い発生した熱をシャーシ１７０に逃がすための放電セル用の熱伝導シート１８１と短絡配線７３のジュール熱をシャーシ１７０に逃がすための短絡配線用の熱伝導シート１８５とを有する。そしてそれぞれの熱伝導シート１８１、１８５は、パネル１０の基板３１とシャーシ１７０との間に挟むように設けられる。
【００４９】
放電セル用の熱伝導シート１８１は放電セルの形成されている画像表示領域のほぼ全域に対応する広い領域に必要となるので、画像表示領域の面積よりも小さい熱伝導シートを複数枚組み合わせて用いられている。これは、面積の小さい熱伝導シートを有効に使用するためだけでなく、熱伝導シートとパネルとの間、または熱伝導シートとシャーシとの間に空気層が形成されるのを防止するためである。図９に示した放電セル用の熱伝導シート１８１は縦方向に長い矩形の熱伝導シートを４枚用いているが、もちろんこれに限定されるものではない。
【００５０】
短絡配線用の熱伝導シート１８５は、短絡配線７３に対応する位置に細長い帯状の熱伝導シートが用いられている。本実施の形態においては、幅３５ｍｍ、長さが１３００ｍｍの熱伝導シート１８５がパネル１０の背面側の短絡配線７３に対応する領域を覆う位置に設けられているため、短絡配線７３で発生した熱をシャーシ１７０に効率よく伝導して、パネル１０の局部的な温度上昇を抑えることができる。
【産業上の利用可能性】
【００５１】
本発明は、大画面のパネルであっても、パネルの局部的な温度上昇を抑制し、パネルを破損する恐れがなく、パネルを用いたプラズマディスプレイ装置として有用である。
【図面の簡単な説明】
【００５２】
【図１】本発明の実施の形態におけるプラズマディスプレイ装置に用いるパネルの分解斜視図
【図２】同プラズマディスプレイ装置に用いるパネルの基板上に形成された表示電極対および電極端子部の配置図
【図３】同プラズマディスプレイ装置の回路ブロック図
【図４】同プラズマディスプレイ装置の維持電極駆動回路の詳細を示す回路図
【図５】同プラズマディスプレイ装置に用いるパネルの各電極に印加する駆動電圧波形図
【図６】同プラズマディスプレイ装置の構造の一例を示す分解斜視図
【図７】同プラズマディスプレイ装置の駆動回路を搭載した回路基板の配置を示す図
【図８】同プラズマディスプレイ装置の維持パルスの電流経路を示す概念図
【図９】同プラズマディスプレイ装置の熱伝導シートのパネルに対する相対位置を示す図
【符号の説明】
【００５３】
１０    パネル
２２    走査電極
２３    維持電極
２８    表示電極対
３２    データ電極
６２，６３    電極端子
７３    短絡配線
８１，８２，８３    ＦＰＣ
１００    プラズマディスプレイ装置
１１０    画像信号処理回路
１２０    データ電極駆動回路
１３０    走査電極駆動回路
１４０    維持電極駆動回路
１５０    タイミング発生回路
１６０    前面枠
１６５    バックカバー
１７０    シャーシ
１８０，１８１，１８５    熱伝導シート
１９０    プリント基板群
２００    維持パルス発生部
５２０，５３０    プリント基板
５４１    維持パルス発生基板
５４２，５４３    中継基板
５４５    ブリッジケーブル
５４６    コネクタ（接続部）
【図１】
2008083135.tif 000003
【図２】
2008083135.tif 000004
【図３】
2008083135.tif 000005
【図４】
2008083135.tif 000006
【図５】
2008083135.tif 000007
【図６】
2008083135.tif 000008
【図７】
2008083135.tif 000009
【図８】
2008083135.tif 000010
【図９】
2008083135.tif 000011